(57)【要約】【課題】きわめて簡便な構成で、煩雑な光源の調節を行うことなく、被写体である人物の豊かな表情を引き立たせるような、芸術性のある撮影が可能となる撮影用照明装置を提供すること。【解決手段】被写体に対して凹湾曲面形状を有し、かつ光を透過する透過領域２２を有する反射板２と、前記反射板２の凸湾曲面側に設けられ、前記透過領域２２に対して光を発光する発光部１とを有し、前記発光部１から発光され、前記透過領域２２を透過した光は、前記被写体を照射するとともに、前記反射板２で反射されて前記被写体を照射する。【選択図】        図１
2010073859.tif 000002
【特許請求の範囲】
【請求項１】
被写体に対して凹湾曲面形状を有し、かつ光を透過する透過領域を有する第１の反射板と、
前記第１の反射板の凸湾曲面側に設けられ、前記透過領域に対して光を発光する発光部とを有し、  
前記発光部から発光され、前記透過領域を透過した光は、前記被写体を照射するとともに、前記第１の反射板で反射されて前記被写体を照射することを特徴とする撮影用照明装置。
【請求項２】
前記第１の反射板は、前記被写体と対向する中央部に撮影用開口部を有することを特徴とする請求項１記載の撮影用照明装置。
【請求項３】
前記第１の反射板の被写体から観察したときの照射光量は、前記透過領域から最低光量領域にかけて、前記第１の反射板の凹湾曲面に沿って連続的に低下し、該最低光量領域から該最低光量領域を隔てた前記透過領域の反対側にある第２の高光量領域まで前記第１の反射板の凹湾曲面に沿って連続的に上昇し、
前記第２の高光量領域の被写体から観察したときの照射光量は、前記透過領域の被写体から観察したときの照射光量よりも少ないことを特徴とする請求項１又は２記載の撮影用照明装置。
【請求項４】
前記透過領域の被写体から観察したときの照射光量は、前記最低光量領域の被写体から観察したときの照射光量の１０倍以上２０倍以下であることを特徴とする請求項３記載の撮影用照明装置。
【請求項５】
前記第１の反射板の上方に、前記透過領域を透過した光を前記被写体に向けて反射する第２の反射板を有することを特徴とする請求項１〜４のいずれかに記載の撮影用照明装置。
【請求項６】
前記第１の反射板の下方に、前記透過領域を透過した光を前記被写体に向けて反射する第３の反射板を有することを特徴とする請求項１〜５のいずれかに記載の撮影用照明装置。
【発明の詳細な説明】
【技術分野】
【０００１】
本発明は撮影用照明装置に関する。特に、人物の静止画像を撮影するのに好適な撮影用照明装置に関する。
【背景技術】
【０００２】
近年、記念写真のみならず、履歴書用、オーディション用あるいはパスポート申請用の写真を撮影スタジオでカメラマンにより撮影する例が増えている。履歴書用及びオーディション用においては、被写体となる人物の第一印象に影響を与えるため、髪形や姿勢を整えた上で被写体となる人物の魅力的な表情をカメラマンが引き出した上で撮影することが要求されている。パスポート申請用においては、長期間使用される証明書用写真であるために、髪型や姿勢を整え、法規制で許容された範囲内で、被写体である人物自身が後悔することのない写真を撮影することが要求されている。【０００３】
そして、これらの撮影が撮影スタジオにおいて行われるのは、在籍するカメラマンが被写体である人物の魅力的な表情を引き出し、そのタイミングを逃さず撮影することが可能な技量を有することに加えて、その撮影目的に応じて、被写体の人物を元気・華やかな雰囲気や落ち着いた雰囲気での照明が可能な撮影用照明装置が設置されているからである。【０００４】
一般的に撮影用照明装置は、光源を複数のランプで構成すると共に、これらのランプを合理的に配置することにより、十分に拡散された柔らかな光で被写体をむらなく照射できるようにしている。例えば光の柔らかさは、被写体を照射する光線の被写体への入射方向の分布特性に依存することが知られている（例えば、特許文献１）。【０００５】
具体的には、被写体の顔の部分で特に鼻の下、あごの下に強い影が出ないように、それでいて平坦にならないように複数のランプの光量を調整しながら照射することになる。例えば、メインライト１灯では陰影が強くなってしまうので補助光としてフロントライトを使い、ヘアーライン（髪の毛の反射）を強調するトップライトを加え、さらにアクセントライトを入れることで、髪の毛のサイドから肩にかけてのハイライトが立ち、バックから浮き立つようになる。さらにバックライトや、複数の細かいアクセントライトを使うこともある。そして、好ましい顔写真のためには、瞳を生き生きと描写するキャッチライトを形成する照明が重要であるが、例えば眼鏡をかけた人の場合、眼鏡への光源映り込みは履歴書用、オーディション用、証明写真用いずれの用途においても目的にそぐわないので、慎重なライティングが必要となる。【０００６】
一方、多数の光源による間接分散配光による照明装置では、上述のように各光源の照射光量や光線の分布特性の調節が煩雑となり、撮影の効率が低下する。また、各光源のバランスが崩れて、被写体を撮影する際に被写体に不自然な影が発生するので、一つの面状の発光手段から出射された照射光を、中央部からの反射光量が、周辺部の反射光量よりも少なくなるようにした反射手段で反射して被写体を照射して撮影する撮影ボックスが知られている（例えば、特許文献２）。
【先行技術文献】
【特許文献】
【０００７】
【特許文献１】特開２００５−１１４９２８号公報（００３５段落、図３）
【特許文献２】特開２００４−３２５７９７号公報（請求項１、図１、図４）
【発明の概要】
【発明が解決しようとする課題】
【０００８】
ところが、特許文献２に記載の撮影装置においては、強い陰影の発生を防止することはできるようになったが、被写体に入射する照射光を均一にするために、専ら平面状の反射板で反射された光を被写体に照射するものとなっており、被写体である人物の豊かな表情を引き立たせるような、ヘアーラインの強調やキャッチライトの形成は不十分であり、芸術性のある撮影には十分ではなかった。【０００９】
そこで、本発明の目的は、きわめて簡便な構成で、煩雑な光源の調節を行うことなく、被写体である人物の豊かな表情を引き立たせるような、芸術性のある撮影が可能となる撮影用照明装置を提供することである。  
【課題を解決するための手段】
【００１０】
上記課題は、被写体に対して凹湾曲面形状を有し、かつ光を透過する透過領域を有する第１の反射板と、前記第１の反射板の凸湾曲面側に設けられ、前記透過領域に対して光を発光する発光部とを有し、前記発光部から発光され、前記透過領域を透過した光は、前記被写体を照射するとともに、前記第１の反射板で反射されて前記被写体を照射することを特徴とする撮影用照明装置によって解決される。
【発明の効果】
【００１１】
本発明によれば、発光部から発光され、凹湾曲面形状を有する反射板の透過領域を透過した光が、被写体を照射するとともに、該反射板の透過領域と連続する、凹湾曲面形状を有する反射領域で反射されて被写体を照射するので、被写体に対する照射光量の急峻な変化がなく、それでいて十分な光量差で連続的に光量が変化する透過光及び反射光を照射することが可能となる。すなわち、あたかもそれぞれの光量が互いに連係して調節された多数の光源により被写体を照射したかのような照明状態を、該反射板と被写体との位置関係の調節のみで実現することが可能であり、きわめて簡便な構成で、煩雑な光源の調節を行うことなく、被写体である人物の豊かな表情を引き立たせるような、自然な照明が可能となる。
【図面の簡単な説明】
【００１２】
【図１】撮影用照明装置の概略を示す斜視図である。
【図２】撮影用照明装置を上から見た断面図である。
【図３】撮影用照明装置の発光部の概略を示す斜視図である。
【図４】撮影用照明装置の作用を概念的に示す上から見た断面図である。
【図５】被写体から観察した時の撮影用照明装置における照射光の強さを相対的に示した図である。
【図６】撮影用照明装置を適用した撮影スタジオの概略斜視図である。
【図７】（ａ）は他の実施形態に係る下反射部の作用を概念的に示す上から見た断面図、（ｂ）は横から見た断面図である。
【図８】他の実施形態に係る湾曲反射部の分解斜視図である。
【図９】図８に示す湾曲反射部の部分拡大図である。
【図１０】他の実施形態に係る撮影用照明装置の斜視図である。
【図１１】更に他の実施形態に係る湾曲反射部の正面図である。
【符号の説明】
【００１３】
１：発光部
１１：光源
２：湾曲反射部
２１：撮影用開口部
２２：透過領域
２３：支持フレーム
３：上反射部
４：下反射部
５：補助反射部
６：脚部
１００：湾曲反射部
１０１、１０２：金属板
１０１ａ、１０２ａ：小孔
１０３：樹脂板
１０４：撮影用開口部
２００：筐体
２０１：開口部
２０２：下反射部
２０３：上反射部
２０４：鏡
Ｓ、Ｓ１：撮影用照明装置
Ｐ：被写体
【発明を実施するための形態】
【００１４】
以下、図面に基づき本発明の実施の形態を説明する。
【００１５】
図１は、本発明に係る撮影用照明装置の概略を示す斜視図であり、図２は本発明に係る撮影用照明装置を上から見た断面図である。撮影用照明装置Ｓは、発光部１、湾曲反射部２、上反射部３、下反射部４、補助反射部５、前カバー４１及び脚部６からなり、外装２０に収納されている。湾曲反射部２の中央部には、被写体と対向する位置になるように撮影用開口部２１が設けられ、撮影用開口部２１を通して図示しないデジタルスチルカメラ等の撮像装置により、撮影用照明装置Ｓで照射された図示しない被写体を撮影するものである。撮影用照明装置Ｓの外形寸法は、本実施形態に示す例では、全高２００ｃｍ、全幅１２０ｃｍ、奥行６０ｃｍである。  
【００１６】
発光部１は、湾曲反射部２の凸湾曲面側、すなわち裏面側に設けられ、湾曲反射部２を介して図示しない被写体に向けて光を発光する。
【００１７】
発光部１の詳細について、図３を用いて説明する。図３は発光部１の概略を示す斜視図である。発光部１は、光源１１、後反射板１２及び前反射板１３からなる。
【００１８】
光源１１は、撮影用照明装置Ｓにおいて１つだけ設けられたキセノンランプ、ハロゲンランプ等のストロボライトであり、図示しない電源から供給された電力により、図示しない撮影装置の撮影動作と同期して発光する。本実施の形態においては、４００Ｗのハロゲンランプストロボライトを使用している。また、光源１１の光出射方向並びに発光光量は、撮影者の撮影意図に応じて適宜調整することが可能である。
【００１９】
後反射板１２は、光源１１と対向する側が銀色に塗装された半円筒状の樹脂板であり、湾曲反射部２の上端から下端までに相当する高さと、湾曲反射部２の一部、好ましくは湾曲反射部２の湾曲面に沿った全幅の５０％以下の幅（湾曲反射部２の開口幅）を有する。前反射板１３は、光源１１と対向する側が銀色に塗装された平面の樹脂板であり、光源１１の光の反射率が８０％となっている。前反射板１３は、光源１１で発光した光が過剰に湾曲反射部２を介して被写体に照射されないように、光源１１を中心とする３０ｃｍ四方の範囲で湾曲反射部２に貼合されている。発光部１１の上下端は開放されていて、外装２０により光源１１の光が漏れないように遮蔽されている。
【００２０】
光源１１は、発光部１の中央よりも高い位置に設けられている。好ましくは、撮影用照明装置Ｓが設置された際に、人物である被写体の目の高さよりも上側にある。発光部１内において、光源１１から発光された光は、後反射板１２と前反射板１３による拡散反射を繰り返すことで、光源１１からの発光の拡がりや照射方向の依存の低い、ほぼ均一な光強度分布となる。すなわち、後反射板１２と前反射板１３により擬似的な積分球を形成するものである。また、前反射板１３のない領域においても、後反射板１２と後述する湾曲反射部２の裏面による拡散反射により、均一度は低いものの、極度に光強度が偏在することのない光強度分布を有する空間が発光部１において形成される。
【００２１】
後反射板１２と前反射板１３または後反射板１２と湾曲反射部２の裏面で拡散反射を繰り返された光は、後反射板１２と対向する湾曲反射部２の光源１１近傍であって主に前反射板１３が設置されていない透過領域２２を透過する。透過領域２２は、湾曲反射板２の左右端いずれかの近傍であることが好ましく、本実施形態においては湾曲反射部２の被写体から見た左側としている。なお後反射板１２と前反射板１３で拡散された光の一部は前反射板１３を透過するが、透過領域２２を透過する光に比べて非常に小さく、前反射板１３を透過した光が過剰に被写体を照射することはない。なお、本実施の形態では後反射部１２を設けるようにしたが、外装２０の内壁面を銀色塗装もしくは金属板を貼合して後反射板の機能を持たせるようにしてもよい。
【００２２】
湾曲反射部２は本発明に係る第１の反射板に相当し、図示しない被写体に対して横方向に滑らかに凹湾曲した凹湾曲面形状を有し、上述した光を透過する透過領域２２を有する。発光部１から出射され、透過領域２２を透過した光は、被写体を照射するとともに、湾曲反射部２自身の凹湾曲面（表面）で反射されて被写体を照射する。
【００２３】
湾曲反射部２は、本実施形態の例では、縦１００ｃｍ、横１５０ｃｍ、厚さ５ｍｍの乳白色ポリプロピレン板（光源１１の光の透過率７０％）を幅９０ｃｍ、奥行き６０ｃｍとなる曲率で湾曲させたものである。なお、本実施形態において乳白色ポリプロピレン板は光源１１の光の透過率７０％の半透過性を有しているので、特に透過領域２２として異なる材料を適用する必要はなく、発光部１と対向する領域が光を透過する透過領域として機能するものである。ここで、湾曲反射部２には乳白色の樹脂板が使用されているので、発光部１からの発光が透過する際には光を拡散させ、透過領域２２を透過した光を反射する際には光を拡散反射させる。このため、湾曲反射部２は、光量分布に大きな偏りが発生することを防止できる。また、本実施の形態においては、撮像装置から被写体までの距離を１．２ｍと近接させる観点から、乳白色ポリプロピレン板を幅９０ｃｍ、奥行き６０ｃｍとなる曲率で湾曲させたが、撮影する被写体の高さ、被写体と撮像装置との離間距離、湾曲反射部２の大きさ、発光部１の発光量等に応じて、曲率を変えたり、放物線、双曲線正接等を選択することも可能である。
【００２４】
湾曲反射部２は、金属パイプ製の支持フレーム２３及び外装２０により支持することでその曲率を形成している。湾曲反射部２の曲率をより強固に維持するために、ポリプロピレン板を熱加工により塑性変形することも可能であり、薄い樹脂板を適用することで撮影用照明装置Ｓの軽量化も可能である。
【００２５】
湾曲反射部２の中央の被写体と対向する位置には高さ３０ｃｍ、幅１８ｃｍの長円形の撮影用開口部２１が、撮影用照明装置Ｓの背面側の外装２０を貫通して設けられている。撮影用開口部２１を縦長の開口としているのは、撮影者が撮影用開口部２１の範囲内で、撮像装置を移動可能とするためである。このようにすることで被写体の高さに関係なく、撮像装置を被写体（例えば、被写体の顔）の正面に位置させることができる。撮影用開口部２１には、撮影用照明装置Ｓに照射された被写体を撮影するための撮像装置が、撮影用照明装置Ｓの背面側に設置される。撮像装置は、照射された被写体の光情報を科学的、物理的、あるいは電気的に記録し、例えばスチルカメラ、ビデオカメラ、銀塩カメラ等が用いられる。本実施の形態では、デジタルスチルカメラを用いている。
【００２６】
上反射部３は、湾曲反射部２の上方に設けられ、透過領域２２を透過した光を被写体に向けて反射する第２の反射板として機能する。上反射部３は、奥行５０ｃｍ、幅１００ｃｍのアルミ板が貼合されたポリカーボネート平板を水平に、湾曲反射部２の最前部よりも２０ｃｍせり出させて設置した反射板で、透過領域２２からの透過光を全反射もしくは拡散反射させる。上反射部３を構成するアルミ板が貼合されたポリカーボネート平板は外装２０の内壁面を兼用するものとしているが、鏡、白色板、光を反射するように塗装、研磨等の表面加工された樹脂、金属等の板材で構成することも可能である。上反射部３により、追加光源を使用せずとも、トップライト相当の光を被写体に照射することができる。
【００２７】
下反射部４は湾曲反射部２の下方に設けられ、透過領域２２を透過した光を被写体に向けて反射する第３の反射板として機能する。下反射部４は奥行８０ｃｍ、幅８０ｃｍの平滑な表面を有し、裏面がエンボス加工された透明ポリカーボネート平板の上面を表面として水平から２０度被写体に向けて傾斜させ、湾曲反射部２の最前部よりも２０ｃｍせり出させて設置した反射板で、透過領域２２からの透過光を全反射もしくは拡散反射させる。下反射部４により、追加光源を使用せずとも、被写体下方からの補助光相当の光を照射できるので、人物である被写体の鼻や顎の下に生じる陰影を緩和できる。
【００２８】
なお、本実施形態において、下反射部４を平滑な表面を有する透明ポリカーボネート平板としたのは、湾曲反射部２及び上反射部３よりも被写体を照射する光量を抑制することで不自然な影が生じるのを抑制するためであるが、湾曲反射部２と同様の乳白色ポリプロピレン板の使用を除外するものではない。
【００２９】
補助反射部５は、湾曲反射部２の両側端に設けられ、湾曲反射部２で反射された光を被写体に向けて反射する。左右の補助反射部５はそれぞれ、上反射部３と同様の、アルミ板が貼合された高さ１００ｃｍ、幅１０ｃｍのポリカーボネート平板を被写体に対向させた反射板で、外装２０を兼用するとともに、湾曲反射部２で反射された光を全反射もしくは拡散反射させる。
【００３０】
前カバー４１は、脚部６を覆うように湾曲反射部２の最前部よりも最大２０ｃｍせり出すように湾曲した透明ポリカーボネート板で構成されている。前カバー４１及び下反射部３をエンボス加工した透明ポリカーボネート板としているので、必要に応じて補助光源を設置して、前カバー４１及び下反射部３で拡散された補助光を被写体に照射することが可能である。
【００３１】
脚部６は、金属製のパイプで構成されており、発光部１、湾曲反射部２、上反射部３、下反射部４、補助反射部５、前カバー４１及び外装２０を所定の高さに保持する。本実施の形態では撮影用開口部２１を縦長形状とすることにより、脚部６による高さ調整機能を必要としないものとしているが、撮影用開口部２１の範囲では撮像装置の高さを調整できない場合に備えて、脚部６による高さ調整を可能にしてもよい。また、脚部６に代えて、保持具により発光部１、湾曲反射部２、上反射部３、下反射部４及び補助反射部５を壁面の所定の高さに保持するようにしてもよい。
【００３２】
撮影用照明装置Ｓの作用について、図４を用いて説明する。図４は撮影用照明装置Ｓの作用を概念的に示す上から見た断面図であり、発光部１から出射された光を矢示している。
【００３３】
光源１１から放射された光Ｌは、後反射板１２と前反射板１３による拡散反射を繰り返した後に発光部１を出射する。発光部１を出射した光Ｌ１は、湾曲反射部２の透過領域２２を透過して、その一部が、光Ｌ１１として被写体Ｐに直接到達する。
【００３４】
発光部１を出射し、透過領域２２を透過した光は、後反射板１２と前反射板１３による拡散反射を繰り返した光なので、比較的均一な光強度分布を有する。したがって、被写体Ｐを直接照射する光Ｌ１１以外にもほぼ均一な分布で、拡散する。一方、湾曲反射部２が湾曲しているために、透過領域２２を透過した光のうち、湾曲反射部２の中央近傍に向かう光Ｌ２１は被写体Ｐから離れた場所へと反射されて反射光Ｌ２２となり、湾曲反射部２の透過領域２２と離間した領域に向かう光Ｌ３１は、湾曲反射部２で全反射若しくは拡散反射されて、反射光Ｌ３２として被写体Ｐに向けて収束する。
【００３５】
図５は、図４における被写体Ｐから観察した時の撮影用照明装置Ｓにおける照射光の強さを相対的に示した図であり、最も光の強い領域、すなわち光源１１近傍の照射光の強さを１００としたときの、相対的な照射光の強さを等高線で示したものである。
【００３６】
透過領域２２の光源１１近傍の領域（最高光量領域）Ａ１で最強となる照射光は、湾曲反射部２に沿って連続的に低下していき、撮影用開口部２１下側の中央部近傍の領域（最低光量領域）Ａ２で最も弱く、光源１１近傍の領域Ａ１の１０分の１程度の光強度となる。そして、光源１１から最も離間した他端領域（第２の高光量領域）Ａ３に近づくにつれて反射光Ｌ３１の収束が強まり、連続的に照射光は強くなる。また、上反射板３及び下反射板４においては、光源１１との離間距離に応じて照射光は低下する。
【００３７】
すなわち、被写体から観察したときの照射光量が、水平方向で、最高光量領域Ａ１（透過領域２２）から最低光量領域Ａ２まで連続的に低下し、最低光量領域Ａ２を隔てた最高光量領域Ａ１の反対側にある第２の高光量領域Ａ３まで連続的に上昇している。そして、第２の高光量領域Ａ３の照射光量は最高光量領域Ａ１の照射光量よりも少ない。このように構成することにより、１つの光源１１を設けただけで、あたかもそれぞれの光量が互いに連係して調節された多数の光源により被写体を照射したかのような照明状態を、該反射板と被写体との位置関係の調節のみで実現することが可能であり、きわめて簡便な構成で、煩雑な光源の調節を行うことなく、被写体に不自然な影を発生させることなく、人物の豊かな表情を引き立たせるような、自然な照明が可能となる。  
【００３８】
また、最高光量領域Ａ１と最低光量領域Ａ２の被写体から観察したときの照射光量差が１０倍以上２０倍以下の範囲に収められているので、極端に強い光が被写体に届いて、例えば被写体の装着している眼鏡や皮脂による全反射光が撮像装置に写りこむようなことがなく、被写体である人物の豊かな表情を引き立たせるような、自然な照明が可能となる。      
【００３９】
本実施の形態では、図５に示した照射光量分布を、発光部１と湾曲反射部２により実現したが、図５に示したような照射光量分布を発光ダイオード等の光源を複数配置することにより実現してもよい。
【００４０】
本発明に係る撮影用照明装置Ｓを適用した撮影スタジオを図６を用いて説明する。図６は、本発明に係る撮影用照明装置Ｓを適用した撮影スタジオの概略斜視図である。被写体となる人物Ｐの正面に撮影用照明装置Ｓが設置され、人物Ｐが椅子７１に着席したときの顔の高さになる位置に撮像装置７２が撮影用開口部２１を通して設置できるように高さが調整されている。撮像装置７２と人物Ｐの離間距離は１．２ｍである。
【００４１】
人物Ｐの背面にはスクリーン７３が設置されており、撮像装置７２とスクリーン７３との離間距離は２ｍである。人物Ｐとスクリーン７３とは５０ｃｍ程度離間することになるが、この離間距離により撮影用照明装置Ｓの照射光が人物Ｐの背面にも回りこみ、スクリーン７３を均一に照射することで、人物Ｐを際立たせた撮影が可能となる。なお、必要に応じて撮影用照明装置Ｓの光源１１及び撮像装置７２の撮像動作と同期して発光する補助ランプを設けるようにしてもよい。
【００４２】
以上説明したように、本実施の形態によれば、発光部１から発光され、湾曲反射部２の透過領域２２を透過した光が、被写体Ｐを照射するとともに、湾曲反射部２の反射領域で反射されて被写体Ｐを照射するので、被写体Ｐに対する照射光量の境目なく連続的に透過光及び反射光を照射することが可能となる。
【００４３】
湾曲反射部２は、被写体と対向する位置に撮影用開口部２１を有し、撮影用開口部２１から撮影することで、理想的な撮影光が照射がされている被写体を正面から撮影できる。
【００４４】
湾曲反射部２の上方に、透過領域２２を透過した光を被写体に向けて反射する上反射部３を有することで、追加光源を使用せずとも、トップライト相当の光を被写体に照射でき、被写体である人物の豊かな表情を引き立たせることができる。
【００４５】
湾曲反射部２下方に、透過領域２２を透過した光を被写体に向けて反射する下反射部４を有するので、追加光源を使用せずとも、被写体下方からの補助光相当の光を照射できるので、被写体の鼻や顎の下に生じる陰影を緩和できる。
【００４６】
以上説明した撮影用照明装置Ｓの実施形態は、第３の反射板である下反射部４の表面が平滑な平板によって構成されている。しかし、この下反射部４の表面は、被写体Ｐに対して滑らかに凹湾曲する凹湾曲面形状を有するものとすることもできる。その他の構成は撮影用照明装置Ｓと同一である。
【００４７】
下反射部４は、表面が被写体Ｐに対して凹湾曲面形状に形成されることにより、図７に示すように、光源１１から湾曲反射部２の透過領域２２を透過した光の一部を、下反射部４の表面における光源１１の配設位置から離れた側の領域４ａで被写体Ｐに向けて反射させ、その反射光Ｌ４１を被写体Ｐに照射することができる。この反射光Ｌ４１は、透過領域２２を透過して被写体Ｐを直接照射する光Ｌ１１に対して、その対角方向から被写体Ｐを照射する光となる。しかも、この反射光Ｌ４１は下反射部４によって反射した光であるため、透過領域２２から直接被写体Ｐに照射される光Ｌ１１よりも光量がやや低くなる。
【００４８】
このため、凹湾曲面形状を有する下反射部４は、光Ｌ１１が照射されることによって被写体Ｐの例えば鼻や顎等の顔表面上の凸部位に生じた陰影に対し、その陰影を消し去る方向から、該光Ｌ１１よりも光量がやや低い反射光Ｌ４１を照射することができるようになるので、被写体Ｐの表情に強い陰影を残すおそれがなく、自然な陰影を形成することによって、人物の豊かな表情をより一層引き立たせることができるようになる。
【００４９】
また、このように凹湾曲面形状を有する下反射部４は、全体的に凸状の曲面となる被写体Ｐ（顔）の表面に対し、ほぼ直角方向から光を照射することができるようになり、不自然な陰影を形成することがなくなる。
【００５０】
図８は、第１の反射板である湾曲反射部の他の実施形態を示す分解斜視図である。この湾曲反射部１００は、２枚の金属板１０１、１０２と、これらの金属板１０１、１０２の間に挟まれた半透明の樹脂板１０３とが重ねられることによって構成され、上述した湾曲反射部２と同様に、図示しない被写体に対して横方向に凹湾曲した凹湾曲面形状を有している。湾曲反射部１００の中央部は、金属板１０１、１０２及び樹脂板１０３を貫通する撮影用開口部１０４を有している。
【００５１】
金属板１０１、１０２は、湾曲反射部１００の背面側に配置される発光部１（図１、図２参照）からの光を透過させて被写体に向けて照射可能とするための、全面に、規則性を有して配列された多数の小孔１０１ａ、１０２ａを有している。
【００５２】
図９は、湾曲反射部１００の部分拡大図である。同図に示されるように、金属板１０１の小孔１０１ａと金属板１０２の小孔１０２ａは、孔径及びピッチが異なっている。すなわち、被写体と対向する側に配置される金属板１０１の小孔１０１ａの孔径ｄ１よりも、その背面側に配置される金属板１０２の小孔１０２ａの孔径ｄ２の方が大きく、且つ、各小孔１０１ａ、１０２ａのピッチは同一ではない。本実施の形態では、表面側の金属板１０１の小孔１０１ａは、直径が３ｍｍであり、５ｍｍのピッチで配列され、背面側の金属板１０２の小孔１０２ａは、直径が５ｍｍであり、８ｍｍのピッチで配列されている。金属板１０１、１０２のうち、少なくとも被写体と対向する側の金属板１０１の表面は白色に塗装されている。従って、この金属板１０１の表面は、被写体に向けて光を反射する反射面としても機能する。
【００５３】
２枚の金属板１０１、１０２の間には０．５〜１．２ｍｍの間隔を有している。この間隔は、樹脂板１０３の厚みによって規定されている。樹脂板１０３は例えばアクリル板によって形成することができる。樹脂板１０３は無色であるが、少なくとも片面が梨地に形成されることによって半透明である。これにより、樹脂板１０３は透過光を分散させる機能を有している。
【００５４】
このように構成された湾曲反射部１００は、発光部１の光源１１（図１、図２参照）から放射された光を、金属板１０２の小孔１０２ａ、樹脂板１０３、金属板１０１の小孔１０１ａの順で透過させ、被写体に向けて直接照射すると共に、金属板１０１の小孔１０１ａを透過した光の一部を該金属板１０１の表面で反射させ、被写体に向けて反射光を照射する。金属板１０１の小孔１０１ａと金属板１０２の小孔１０２ａは、背面側の金属板１０２の小孔１０２ａの方が孔径が大きく、しかも、ピッチが異なって配列されているため、湾曲反射部１００は、全体的に均一に分散配置された、光を透過可能な孔を有することになる。これにより、湾曲反射部２を用いた場合と同様の強度分布の光を被写体に向けて照射することができる。
【００５５】
また、２枚の金属板１０１、１０２の間には半透明の樹脂板１０３が挟まれていることにより、金属板１０２の小孔１０２ａを透過した光は、この樹脂板１０３によって内部分散され、金属板１０１の小孔１０１ａを通過する。従って、樹脂板１０３は、孔径及びピッチが異なる小孔１０１ａ、１０２ａの構成と相俟って、透過光の規則性をこわすように働き、撮影画像にモアレが発生することを防止する。
【００５６】
このような湾曲反射部１００は、金属板１０１、１０２が用いられているので、樹脂製の湾曲反射部２に比べて丈夫であり、また、水の浸入に対しても高い耐久性を有している。このため、この湾曲反射部１００を用いた撮影用照明装置は、屋外設置も可能となる。
【００５７】
図１０は、この湾曲反射部１００を用いた屋外設置に適した撮影用照明装置Ｓ１の構成例を示す斜視図である。撮影用照明装置Ｓ１は、スチール等の金属製の筐体２００によって形成されている。筐体２００の前面は矩形状の開口部２０１を有しており、この開口部２０１内に湾曲反射部１００が配置されている。撮影用照明装置Ｓ１は、この筐体２００内において、湾曲反射部１００の背面側に、撮影用照明装置Ｓと同様、発光部や撮像装置（いずれも図示せず）が配置される。
【００５８】
湾曲反射部１００の下方前面側に、被写体に向けて下り傾斜する下反射部２０２が設けられている。この下反射部２０２は、図７に示した下反射部４と同様に、被写体に対して凹湾曲面形状を有していてもよい。
【００５９】
また、開口部２０１内において、湾曲反射部１００の上方は、筐体２００との間に隙間２０３が設けられており、発光部からの光が、湾曲反射部１００の背面側からこの隙間２０３を介して被写体に照射することができるようになっている。開口部２０１内の筐体２００内側は、銀色に塗装された反射面であり、撮影用照明装置Ｓの上反射部３と同様、被写体に対してトップライト相当の光を照射する機能を有している。
【００６０】
湾曲反射部１００の中央部には、撮影用開口部１０４の前面を塞ぐように、鏡２０４を設けることができる。この鏡２０４は、被写体側からの光を反射し、撮像装置側からの光を透過するハーフミラーからなり、撮影用開口部１０４に配置される撮像装置を保護する機能に加え、被写体自身の姿（顔）を写し出すことによって、撮影時の自分の姿（顔）を被写体自ら確認することができる機能を有する。これにより、この撮影用照明装置Ｓ１は、専用の撮影者を必要とせず、被写体自身で撮影操作が可能となる。
【００６１】
第１の反射板である湾曲反射部２、第２の反射板である上反射部３、第３の反射板である下反射部４及び補助反射部５の更に他の実施形態は、これらのうちの少なくともいずれか又は全部を、布を用いて構成することである。
【００６２】
布としては、乳白色ポリプロピレン板と同等の光透過性及び光反射性を有するものを使用することが好ましい。例えば、ガラス繊維糸、合成繊維糸、木綿糸、絹糸等を用いて織製又は編製した布を好適に用いることができる。織り方や編み方は特に問わない。また、不織布を用いてもよい。
【００６３】
更に、布の表面又は裏面に、必要に応じて、白色、乳白色、銀等の塗料を塗布してもよい。
【００６４】
布は、それ自体では形状を維持することができないため、光の透過や反射の妨げとならない程度の太さを有するフレーム材を用いて、所定の湾曲面形状を形成することが好ましい。フレーム材としては、金属製、樹脂製、木製（竹を含む）の線状体又は棒状体を用いることができる。所定の湾曲形状等に加工したフレーム材を複数組み合わせて骨組みを形成し、この骨組みに対して布を張設することによって撮影用照明装置を簡単に構成することができる。
【００６５】
このように布によって撮影用照明装置を構成することで、軽量、コンパクトな装置とすることができる。従って、スタジオに据え置くタイプに限らず、撮影用照明装置を撮影者自身で手に持って撮影することができるようになるため、屋外等の自由な撮影場所で撮影することも容易に可能となる利点がある。
【００６６】
布の形状を維持する方法として、上記のような布を用いて袋状に形成し、内部に空気又はその他の気体を封入した気体袋形状に形成することにより、湾曲反射部２、上反射部３、下反射部４、補助反射部５の少なくともいずれか又は全部を構成することも好ましい。気体袋内に空気又はその他の気体を封入することで形状保持されるので、フレーム材は不要又は必要最小限で済み、構造をより簡素化且つ軽量化することができる。
【００６７】
また、不使用時は、空気を抜いてコンパクトに折り畳むことができるため、収納及び持ち運び性も向上させることができる。
【００６８】
気体としてヘリウムガス等の空気よりも軽い気体を用いることで、より軽量化でき、撮影者が手に持って撮影する場合に一層楽に行うことができるようになる。
【００６９】
湾曲反射部２をこのような気体袋によって構成する場合、光源１１は、気体袋の内部に配置され、被写体Ｐ側の気体袋表面を湾曲反射部２の反射面として、第１の実施形態と同様に被写体Ｐに向けて光を照射することができる。
【００７０】
以上説明した第１の反射板である湾曲反射部２、１００の更に他の実施形態は、図１１に示すように、その表面側の中央領域が、その他の領域３０１よりも光の反射率が低い低反射領域３００を有していることである。この低反射領域３００は、撮影用開口部２１、１０４を含むその周囲に円形状で形成された領域であり、湾曲反射部２、１００の表面の他の領域３０１の光の反射率よりも低い光の反射率となるように、灰色等に着色することによって形成することができる。
【００７１】
この中央領域に低反射領域３００を有する湾曲反射部２、１００は、被写体である人物の瞳に対して強い反射光を照射することを防止し、黒くて輪郭が明確な瞳を有する被写体像を撮影することができる。
【００７２】
低反射領域３００は、湾曲反射部２、１００とは別の樹脂板によって形成し、湾曲反射部２、１００の表面に対して着脱可能に構成することもできる。このような低反射領域３００は、湾曲反射部２、１００の中央領域に、必要に応じて取り付けて使用することができる。
【図１】
2010073859.tif 000003
【図２】
2010073859.tif 000004
【図３】
2010073859.tif 000005
【図４】
2010073859.tif 000006
【図５】
2010073859.tif 000007
【図６】
2010073859.tif 000008
【図７】
2010073859.tif 000009
【図８】
2010073859.tif 000010
【図９】
2010073859.tif 000011
【図１０】
2010073859.tif 000012
【図１１】
2010073859.tif 000013
【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
発光部と、被写体に対して凹湾曲平面形状を有し、前記発光部で発光された光の少なくとも一部を反射して前記被写体を照射する反射板とを有し、 
前記被写体から観察したときの前記反射板の照射光量の水平方向の分布は、照射光量の最も大きい最高光量領域から照射光量の最も小さい最低光量領域にかけて、前記反射板の凹湾曲平面に沿って連続的に低下し、該最低光量領域から該最低光量領域を隔てた前記最高光量領域の反対側にある第２の高光量領域まで、前記反射板の凹湾曲平面に沿って連続的に上昇し、
前記被写体から観察したときの前記第２の高光量領域の照射光量は、前記被写体から観察したときの前記最高光量領域の照射光量よりも少ないことを特徴とする撮影用照明装置。
【請求項２】
前記反射板は、前記発光部から発光された光を透過する透過領域を有するとともに前記透過領域を透過した光の少なくとも一部を反射して前記被写体を照射し、
前記透過領域は、前記最高光量領域を含んでいることを特徴とする請求項１に記載の撮影用照明装置。
【請求項３】
前記反射板は、前記被写体と対向する位置に撮影用開口部を有することを特徴とする請求項１または２に記載の撮影用照明装置。  
【請求項４】
前記反射板の上方に、前記透過領域を透過した光を前記被写体に向けて反射する上反射板を有することを特徴とする請求項１乃至３の何れか１項に記載の撮影用照明装置。  
【請求項５】
前記反射板の下方に、前記透過領域を透過した光を前記被写体に向けて反射する下反射板を有することを特徴とする請求項１乃至４の何れか１項に記載の撮影用照明装置。
【請求項６】
前記被写体から観察したときの前記最高光量領域の照射光量は、前記被写体から観察したときの前記最低光量領域の照射光量の１０倍以上２０倍以下であることを特徴とする請求項１乃至５の何れか１項に記載の撮影用照明装置。
【請求項７】
請求項１乃至６の何れか１項に記載の撮影用照明装置と、
前記撮影用照明装置により照射された被写体を撮像する撮像装置とを有することを特徴とする撮影システム。
【国際調査報告】
2010073859.tif 000014
2010073859.tif 000015
2010073859.tif 000016
2010073859.tif 000017